(57)【要約】【課題】篩から対象物を効率よく排出させる。【解決手段】回転篩装置は、同軸上に配置された筒状を成す複数の篩によって構成され、側面視で一端から他端へ向かうに従い下側へ傾斜され、回転することで、一端側から投入された前記対象物を異なる大きさの前記対象物に選り分けて他端側へ送り出す篩ユニットと、前記篩ユニットの下側に配置され、前記篩ユニットを軸回りに回転させるローラを有する支持ユニットと、を備え、前記篩が、前記篩の骨格を成すフレームと、筒状に形成され、前記フレームの外側に配置された篩本体と、長尺棒状に形成され、前記篩本体の内側において螺旋状に巻き回され、前記対象物を前記篩の他端側へ送り出す送りバーと、を含んで構成されている。【選択図】図１
2019030864.tif 000002
【特許請求の範囲】
【請求項１】
食料品である対象物を異なる大きさに選り分けるための回転篩装置であって、
同軸上に配置された筒状を成す複数の篩によって構成され、側面視で一端から他端へ向かうに従い下側へ傾斜され、回転することで、一端側から投入された前記対象物を異なる大きさの前記対象物に選り分けて他端側へ送り出す篩ユニットと、
前記篩ユニットの下側に配置され、前記篩ユニットを軸回りに回転させるローラを有する支持ユニットと、
を備え、
前記篩が、
筒状に形成され、複数の孔部を有する篩本体と、
前記篩本体の内側に設けられると共に、前記篩本体の周方向に螺旋状に巻き回された長尺棒状に又は篩本体の軸方向に沿って直線状に延在された長尺棒状に形成され、前記対象物を前記篩の他端側へ送り出す送りバーと、
を含んで構成されている回転篩装置。
【請求項２】
前記篩は、前記篩の骨格を成すフレームを有しており、
前記篩本体が、前記フレームの外側において、前記フレームに着脱可能に組付けられている請求項１に記載の回転篩装置。
【請求項３】
前記送りバーが、前記篩本体の軸方向に沿って直線状に延在されており、
前記篩本体の径方向から見て、前記送りバーが前記孔部と重ならない位置に配置されている請求項１に記載の回転篩装置。
【請求項４】
前記篩本体及び前記送りバーが、一体に形成されている請求項３に記載の回転篩装置。
【請求項５】
前記篩本体及び前記送りバーが、樹脂材によって構成されている請求項４に記載の回転篩装置。
【請求項６】
支持ユニットは、
側面視で前記篩ユニットと平行に配置された左右一対の回転軸と、
前記回転軸の一端部及び他端部に一体回転可能にそれぞれ設けられ、前記回転軸が回転することで前記篩ユニットを回転させる一対のローラと、
前記回転軸の一端部に連結され、駆動することで前記回転軸を回転させる駆動機構と、
を含んで構成され、
前記篩ユニットが前記ローラ上に載置されている請求項１〜請求項５の何れか１項に記載の回転篩装置。
【請求項７】
支持ユニットは、平面視で矩形枠状に形成された支持フレームを有し、
左右一対の前記回転軸が、前記支持フレームに回転可能に支持されている請求項６に記載の回転篩装置。
【請求項８】
前記駆動機構は、
駆動モータと、
前記駆動モータ及び一対の前記回転軸を連結し、前記駆動モータの回転を一対の前記回転軸へ伝達する伝達ベルトと、
を含んで構成されている請求項６又は請求項７に記載の回転篩装置。
【請求項９】
前記篩ユニットの一端側には、前記対象物を投入するためのホッパーが設けられており、
前記ホッパーの下側に前記駆動モータが配置されている請求項８に記載の回転篩装置。
【請求項１０】
前記支持ユニットは、前記篩ユニットの他端に当接されて前記篩ユニットの他端側の移動を制限するストッパを有しており、
前記ストッパは、前記篩ユニットの回転に従動して回転する従動ローラとして構成されている請求項１〜請求項９の何れか１項に記載の回転篩装置。
【請求項１１】
前記支持ユニットの下側には、前記支持ユニットを支持する架台が設けられており、
前記架台と前記支持フレームとの間には、前記支持フレームの傾斜を調整する調整機構が設けられている請求項７に記載の回転篩装置。
【請求項１２】
前記篩ユニットの他端側には、前記篩ユニットによって選り分けられた前記対象物を受け部材へ導くガイド部材が設けられており、
ガイド部材は、複数の前記篩に対応した複数のガイド部を有しており、
複数のガイド部における前記受け部材への排出口が、平面視で左右方向に並んで配置されている請求項１〜請求項１１の何れか１項に記載の回転篩装置。
【発明の詳細な説明】
【技術分野】
【０００１】
本発明は、回転篩装置に関する。
【背景技術】
【０００２】
粒径（大きさ）の異なる対象物を大きさ毎に選り分ける回転篩装置として、下記特許文献１に記載されたものがある。この回転篩装置では、各々外径の異なる円筒状の筒体（篩）が複数設けられており、複数の筒体が、同軸上に且つ側面視で傾斜して配置されている。そして、内側の筒体の一端側から対象物を投入することで、選り分けられた対象物が筒体の他端側から排出されて、受け部に溜まるように構成されている。
【先行技術文献】
【特許文献】
【０００３】
【特許文献１】特開平０６−３２２７５７号公報
【発明の概要】
【発明が解決しようとする課題】
【０００４】
しかしながら、上記回転篩装置では、以下に示す点において改善の余地がある。すなわち、上記回転篩装置では、上述のように、複数の筒体を傾斜して配置させることで、筒体内の対象物を筒体の他端側へ移動させて、受け部へ排出するようになっている。換言すると、筒体が回転することで、対象物が自重によって他端側へ移動される構成になっている。このため、例えば、対象物の重量が比較的軽い場合には、対象物が、筒体の他端側へ良好に移動せずに、筒体から良好に排出しない可能性がある。したがって、上記回転篩装置では、対象物を筒体（篩）から効率よく排出させるという点において改善の余地がある。
【０００５】
本発明は、上記事実を考慮して、篩から対象物を効率よく排出させることができる回転篩装置を提供することを目的とする。
【課題を解決するための手段】
【０００６】
本発明の１又はそれ以上の実施形態は、食料品である対象物を異なる大きさに選り分けるための回転篩装置であって、同軸上に配置された筒状を成す複数の篩によって構成され、側面視で一端から他端へ向かうに従い下側へ傾斜され、回転することで、一端側から投入された前記対象物を異なる大きさの前記対象物に選り分けて他端側へ送り出す篩ユニットと、前記篩ユニットの下側に配置され、前記篩ユニットを軸回りに回転させるローラを有する支持ユニットと、を備え、前記篩が、筒状に形成され、複数の孔部を有する篩本体と、前記篩本体の内側に設けられると共に、前記篩本体の周方向に螺旋状に巻き回された長尺棒状に又は篩本体の軸方向に沿って直線状に延在された長尺棒状に形成され、前記対象物を前記篩の他端側へ送り出す送りバーと、を含んで構成されている回転篩装置である。
【０００７】
本発明の１又はそれ以上の実施形態は、前記篩は、前記篩の骨格を成すフレームを有しており、前記篩本体が、前記フレームの外側において、前記フレームに着脱可能に組付けられている回転篩装置である。
【０００８】
本発明の１又はそれ以上の実施形態は、前記送りバーが、前記篩本体の軸方向に沿って直線状に延在されており、前記篩本体の径方向から見て、前記送りバーが前記孔部と重ならない位置に配置されている回転篩装置である。
【０００９】
本発明の１又はそれ以上の実施形態は、前記篩本体及び前記送りバーが、一体に形成されている回転篩装置である。
【００１０】
本発明の１又はそれ以上の実施形態は、前記篩本体及び前記送りバーが、樹脂材によって構成されている回転篩装置である。
【００１１】
本発明の１又はそれ以上の実施形態は、支持ユニットは、側面視で前記篩ユニットと平行に配置された左右一対の回転軸と、前記回転軸の一端部及び他端部に一体回転可能にそれぞれ設けられ、前記回転軸が回転することで前記篩ユニットを回転させる一対のローラと、前記回転軸の一端部に連結され、駆動することで前記回転軸を回転させる駆動機構と、を含んで構成され、前記篩ユニットが前記ローラ上に載置されている回転篩装置である。
【００１２】
本発明の１又はそれ以上の実施形態は、支持ユニットは、平面視で矩形枠状に形成された支持フレームを有し、左右一対の前記回転軸が、前記支持フレームに回転可能に支持されている回転篩装置である。
【００１３】
本発明の１又はそれ以上の実施形態は、前記駆動機構は、駆動モータと、前記駆動モータ及び一対の前記回転軸を連結し、前記駆動モータの回転を一対の前記回転軸へ伝達する伝達ベルトと、を含んで構成されている回転篩装置である。
【００１４】
本発明の１又はそれ以上の実施形態は、前記篩ユニットの一端側には、前記対象物を投入するためのホッパーが設けられており、前記ホッパーの下側に前記駆動モータが配置されている回転篩装置である。
【００１５】
本発明の１又はそれ以上の実施形態は、前記支持ユニットは、前記篩ユニットの他端に当接されて前記篩ユニットの他端側の移動を制限するストッパを有しており、前記ストッパは、前記篩ユニットの回転に従動して回転する従動ローラとして構成されている回転篩装置である。
【００１６】
本発明の１又はそれ以上の実施形態は、前記支持ユニットの下側には、前記支持ユニットを支持する架台が設けられており、前記架台と前記支持フレームとの間には、前記支持フレームの傾斜を調整する調整機構が設けられている回転篩装置である。
【００１７】
本発明の１又はそれ以上の実施形態は、前記篩ユニットの他端側には、前記篩ユニットによって選り分けられた前記対象物を受け部材へ導くガイド部材が設けられており、ガイド部材は、複数の前記篩に対応した複数のガイド部を有しており、複数のガイド部における前記受け部材への排出口が、平面視で左右方向に並んで配置されている回転篩装置である。
【発明の効果】
【００１８】
上記構成の回転篩装置によれば、篩から対象物を効率よく排出させることができる。
【図面の簡単な説明】
【００１９】
【図１】図１（Ａ）は、第１の実施の形態に係る回転篩装置を示す上側から見た平面図であり、図１（Ｂ）は、図１（Ａ）に示される回転篩装置を左側から見た側面図である。
【図２】図２（Ａ）は、図１に示される回転篩装置を前側から見た正面図であり、図２（Ｂ）は、図１に示される回転篩装置を後側から見た背面図である。
【図３】図３は、図１に示される回転篩装置を左斜め前方から見た斜視図である。
【図４】図４は、図３に示される回転篩装置から篩ユニットを取外した状態を示す左斜め前方から見た斜視図である。
【図５】図５は、図３に示される篩ユニットを拡大して示す左斜め前方から見た斜視図である。
【図６】図６は、図５に示される篩ユニットを前端側から見た正面図である。
【図７】図７は、図６に示される篩ユニットの縦断面図（図６における７−７線断面図）である。
【図８】図８は、第２の実施の形態に係る回転篩装置を示す上側から見た平面図である。
【図９】図９は、図８に示される回転篩装置を示す左側から見た側面図である。
【図１０】図１０は、図９に示される回転篩装置を示す前側から見た正面図である。
【図１１】図１１（Ａ）は、図８に示される架台および支持ユニットを示す左斜め前方から見た斜視図であり、図１１（Ｂ）は、図１１（Ａ）の支持ユニットに篩ユニットを設置した状態を示す斜視図である。
【図１２】図１２は、図１１（Ｂ）に示される篩ユニットを拡大して示す斜視図である。
【図１３】図１３は、図１２に示される篩ユニットを排出側から見た正面図である。
【発明を実施するための形態】
【００２０】
（第１の実施の形態）
以下、図１〜図７を用いて第１の実施の形態に係る回転篩装置１０について説明する。なお、図面において適宜示される矢印ＵＰ、矢印ＦＲ、矢印ＲＨは、それぞれ回転篩装置１０の上側、前側、右側を示している。そして、以下の説明において、上下、前後、左右の方向を用いて説明するときには、特に断りのない限り、回転篩装置１０の上下、前後、左右を示すものとする。
【００２１】
図１〜図４に示されるように、回転篩装置１０は、「対象物」としての食料品（具体的には、揚げ玉ＦＢ（図２（Ａ）参照））を、異なる大きさの揚げ玉ＦＢに選り分けて、選り分けられた揚げ玉ＦＢを大きさ毎に集める装置である。この回転篩装置１０は、篩ユニット６０と、篩ユニット６０を回転可能に支持する支持ユニット３０と、支持ユニット３０を支える架台１２と、を含んで構成されている。また、回転篩装置１０は、篩ユニット６０に揚げ玉ＦＢを供給するためのホッパー９０を有している。さらに、回転篩装置１０は、篩ユニット６０によって選り分けられた揚げ玉ＦＢを、ケース１１０に導くためのガイド部材１００を有している。以下、回転篩装置１０の各構成について説明する。
【００２２】
（架台１２について）
架台１２は、回転篩装置１０の下部を構成している。架台１２は、左右一対のメインフレーム１４を有しており、メインフレーム１４は前後方向に延在された略矩形柱状に形成されている。このメインフレーム１４には、左右方向に延在された複数のクロスフレーム１６が架け渡されており、メインフレーム１４が、クロスフレーム１６によって連結されている。また、メインフレーム１４の前端部及び後端部には、脚部１８が設けられている。この脚部１８は、メインフレーム１４の前端部及び後端部から下方側へ延出されており、脚部１８の下端が、回転篩装置１０を設置する設置面に載置されている。
【００２３】
また、架台１２における後方側のクロスフレーム１６の上側には、後述するホッパー９０を支持するための４本の支持柱２０が立設されている。さらに、架台１２の前端部におけるクロスフレーム１６の前側には、略幅方向中央の位置において、後述するガイド部材１００の傾きを調整するための調整バー２２が設けられている。調整バー２２は、上下方向を軸方向とした略丸棒状を成しており、調整バー２２の外周部には、雄ねじが形成されている。そして、調整バー２２が、クロスフレーム１６の前面に設けられたナット２４に螺合されている。これにより、調整バー２２を回転させることで、調整バー２２のナット２４からの伸長量が調整される構成になっている。
【００２４】
（支持ユニット３０について）
支持ユニット３０は、架台１２の前部の上側（支持柱２０の前側）に配置されて、後述する篩ユニット６０を支持する機構として構成されている。支持ユニット３０は、支持フレーム３２と、「調整機構」としての傾斜機構３４と、回転機構４０と、を含んで構成されている。
【００２５】
＜支持フレーム３２について＞
支持フレーム３２は、平面視で略矩形枠状に形成されている。具体的には、支持フレーム３２は、前後方向に延在され且つ矩形柱状を成す左右一対のサイドフレーム３２Ｓと、一対のサイドフレーム３２Ｓの前端部同士を連結するフロントフレーム３２Ｆと、一対のサイドフレーム３２Ｓの後端部同士を連結するリアフレーム３２Ｒと、を含んで構成されている。そして、支持フレーム３２が、後述する傾斜機構３４によって架台１２に連結されて、架台１２の前部の上側において、前側へ向かうに従い下側へ傾斜した状態で配置されている。
【００２６】
＜傾斜機構３４について＞
傾斜機構３４は、支持フレーム３２のリアフレーム３２Ｒを架台１２のクロスフレーム１６に連結するための調整バー３６と、支持フレーム３２の前端側の部分を架台１２のメインフレーム１４に連結するための左右一対のブラケット３８と、を含んで構成されている。
【００２７】
調整バー３６は、上下方向を軸方向とした略長尺丸棒状に形成されている。この調整バー３６の外周部には、雄ねじが形成されており、調整バー３６が、クロスフレーム１６に設けられたナット３７に螺合されている。また、調整バー３６の上端部は、支持フレーム３２のリアフレーム３２Ｒに回転可能に連結されている。これにより、調整バー３６を回転させることで、調整バー３６が架台１２に対して上下方向に相対移動して、リアフレーム３２Ｒの上下位置が設定される構成になっている。
【００２８】
一対のブラケット３８は、支持フレーム３２の前部に対して幅方向外側にそれぞれ配置されている。一対のブラケット３８は、略Ｌ字形状に形成されて、左右対称に構成されている。具体的には、ブラケット３８は、メインフレーム１４の上面に載置され且つメインフレーム１４に固定された固定部３８Ａと、固定部３８Ａのサイドフレーム３２Ｓ側の端部から上方側へ延出され且つサイドフレーム３２Ｓの側方に隣接配置された取付部３８Ｂと、を有している。取付部３８Ｂには、上下方向に延在された長孔状の調整孔３８Ｃが貫通形成されている。そして、調整孔３８Ｃ内に取付ボルトＢ１が挿入されて、取付ボルトＢ１によって取付部３８Ｂがサイドフレーム３２Ｓに固定されている。
【００２９】
これにより、支持フレーム３２が架台１２（のメインフレーム１４）に対して傾斜して配置されている。また、調整バー３６の架台１２からの伸長長さや、ブラケット３８の調整孔３８Ｃに対する取付ボルトＢ１の上下位置を適宜調整することで、支持フレーム３２の傾きを調整できるようになっている。
【００３０】
＜回転機構４０について＞
回転機構４０は、左右一対の回転軸４２と、回転軸４２に固定された「ローラ」としての回転ローラ４４と、回転軸４２を回転させるための駆動機構４６と、「ストッパ」としての左右一対の従動ローラ５４と、を含んで構成されている。
【００３１】
回転軸４２は、支持フレーム３２におけるサイドフレーム３２Ｓの上側にそれぞれ配置されると共に、平面視で前後方向に延在されている。回転軸４２は、サイドフレーム３２Ｓの上面と平行に配置されており、回転軸４２の前端部及び後端部が、サイドフレーム３２Ｓに固定された軸受け４３によって回転可能に支持されている。これにより、回転軸４２が、軸受け４３を介して支持フレーム３２に回転可能に支持されると共に、側面視で、前側へ向かうに従い下側へ傾斜して配置されている。
【００３２】
回転ローラ４４は、回転軸４２の後端部（一端部）及び前端部（他端部）に、それぞれ一体回転可能に設けられている。すなわち、本実施の形態では、４つの回転ローラ４４が設けられている。
【００３３】
駆動機構４６は、駆動源である駆動モータ４８と、駆動モータ４８の回転を回転軸４２に伝達するための伝達ベルト５２と、を含んで構成されている。
【００３４】
駆動モータ４８は、支持フレーム３２に対して後側で且つ架台１２の左右の支持柱２０の間に配置されて、図示しない位置で支持フレーム３２に連結されている。また、駆動モータ４８は、側面視で支持フレーム３２と平行に配置されており、駆動モータ４８の出力軸４８Ａが駆動モータ４８のモータ本体から前方側へ延出されている。この出力軸４８Ａには、プーリ４９が一体回転可能に設けられている。さらに、駆動モータ４８は、制御部５６に電気的に接続されており、制御部５６には、操作部５８が電気的に接続されている。これにより、使用者が操作部５８の操作ボタン（図示省略）を操作することで、駆動モータ４８の駆動が開始又は停止するようになっている。
【００３５】
駆動モータ４８のプーリ４９に対して回転篩装置１０の幅方向外側には、一対の伝達ローラ５０が設けられている。伝達ローラ５０は、駆動モータ４８の出力軸４８Ａと平行に配置されると共に、図示しない位置において、支持フレーム３２に回転可能に連結されている。
【００３６】
伝達ベルト５２は、無端ベルトとして構成されている。そして、伝達ベルト５２が、駆動モータ４８のプーリ４９、一対の伝達ローラ５０、及び一対の回転軸４２の後端部に掛け回されている。これにより、駆動モータ４８が駆動すると、駆動モータ４８の回転が伝達ベルト５２を介して一対の回転軸４２に伝達されて、一対の回転軸４２（すなわち、回転ローラ４４）が、自身の軸回りを同じ方向に回転するようになっている。
【００３７】
左右一対の従動ローラ５４は、回転軸４２の前端側に設けられた回転ローラ４４の前側で且つ当該回転ローラ４４に対して回転篩装置１０の幅方向内側にそれぞれ設けられている。具体的には、回転軸４２の前端側に設けられた回転ローラ４４と、回転軸４２の前端部を支持する軸受け４３と、の間に、従動ローラ５４を支持するための支持部材５５が設けられている。そして、従動ローラ５４が、支持部材５５によって回転可能に支持されている。さらに、従動ローラ５４を回転可能に支持する軸部は、上側へ向かうに従い回転篩装置１０の幅方向内側に傾斜されている。具体的には、従動ローラ５４を支持する軸部が、後述する篩ユニット６０の径方向に沿って配置されている。
【００３８】
（篩ユニット６０について）
篩ユニット６０は、略円筒状を成す複数層（本実施の形態では、２層）の篩を有する、所謂回転ドラム型の篩ユニットとして構成されている。篩ユニット６０は、前述した４箇所の回転ローラ４４の上に載置されて、回転機構４０の作動によって回転するようになっている（図３参照）。すなわち、篩ユニット６０が、側面視で前側へ向かうに下側へ傾斜して配置されている。そして、篩ユニット６０の後端側（一端側）を、揚げ玉ＦＢが投入される投入側としており、篩ユニット６０の前端側（他端側）を、篩ユニット６０によって選り分けられた揚げ玉ＦＢを排出する排出側としている。また、篩ユニット６０は、篩ユニット６０の径方向外側部分を構成する「篩」としての外篩７０と、外篩７０の径方向内側に配置された「篩」としての内篩８０と、を含んで構成されている。
【００３９】
＜外篩７０について＞
図５〜図７に示されるように、外篩７０は、略円筒状に形成されている。この外篩７０は、外篩７０の骨格を構成する「フレーム」としての外篩フレーム７２と、篩ユニット６０に投入された揚げ玉ＦＢを所定の大きさに選り分けるための「篩本体」としての外篩網部７６と、外篩７０内の揚げ玉ＦＢを排出側へ送り出すための「送りバー」としての外篩送りバー７４と、を含んで構成されている。
【００４０】
外篩フレーム７２は、外篩７０の前端部及び後端部を構成する前後一対のエンドフレーム部７２Ａを有しており、エンドフレーム部７２Ａは軸長の短い円筒状（リング状）に形成されている。また、外篩フレーム７２は、複数（本実施の形態では３箇所）の中間フレーム部７２Ｂを有しており、中間フレーム部７２Ｂは、外篩７０の略径方向を板厚方向とした略長尺板状に形成されて、外篩７０の軸方向に延在されている。この中間フレーム部７２Ｂは、一対のエンドフレーム部７２Ａの間に配置されると共に、エンドフレーム部７２Ａの周方向において、等間隔毎（１２０度毎）に配置されている。そして、中間フレーム部７２Ｂの長手方向両端部が、一対のエンドフレーム部７２Ａに連結されている。
【００４１】
外篩送りバー７４は、断面円形を成す線材（本実施の形態では、ステンレスの線材）によって構成されている。この外篩送りバー７４は、中間フレーム部７２Ｂに埋設されるように中間フレーム部７２Ｂと一体に形成されると共に、外篩フレーム７２に沿うように螺旋状に形成されている。
【００４２】
外篩網部７６は、複数の線材（本実施の形態では、ステンレス線材）を織り合わせた網板によって構成されると共に、略円筒状に形成されている。これにより、外篩網部７６が、複数の「孔部」としての外篩孔部７６Ａを有している。そして、外篩網部７６が、中間フレーム部７２Ｂ及び外篩送りバー７４の径方向外側に沿うように配置されている。また、外篩網部７６の径方向外側には、エンドフレーム部７２Ａに対して軸方向内側の隣接した位置において、一対の止め輪７８が設けられている。この止め輪７８は、外篩７０の径方向を板厚方向とし且つ一部開放された略円環板状に形成されている。止め輪７８の長手方向両端部には、締付ボルトＢ２が架け渡された締付部７８Ａが設けられている。そして、締付ボルトＢ２が締付部７８Ａを締め付けることで、止め輪７８が外篩網部７６を径方向内側へ締め付けて、外篩網部７６が外篩フレーム７２に固定されている。すなわち、外篩７０が分解可能に構成されている。
【００４３】
また、外篩網部７６の径方向外側には、中間フレーム部７２Ｂに対応する位置において、固定プレート７９が設けられている。この固定プレート７９は、外篩７０の径方向を板厚方向とし、外篩７０の軸方向に延在された略長尺板状に形成されている。そして、固定プレート７９が、複数の固定ボルト（図示省略）によって、中間フレーム部７２Ｂに固定されている。また、固定プレート７９の固定状態では、外篩網部７６における突き合わされた両端部が、固定プレート７９と中間フレーム部７２Ｂとの間に配置されて、両者によって挟み込まれている。
【００４４】
そして、外篩７０が軸方向一方側へ回転されると、外篩７０内の揚げ玉ＦＢが、前述した外篩送りバー７４によって外篩７０の排出側（前端側）へ送り出されるように構成されている。
【００４５】
＜内篩８０について＞
内篩８０は、外篩７０よりも小径の円筒状に形成されており、内篩８０の軸長が外篩７０の軸長よりも長く設定されている。また、内篩８０は、外篩７０の内部において、同軸上に配置されている。具体的には、内篩８０の前端部が外篩７０よりも前側へ突出されており、内篩８０の後端部が外篩７０よりも後側へ突出されている。
【００４６】
内篩８０は、外篩７０と同様の構造を成している。すなわち、内篩８０は、「フレーム」としての内篩フレーム８２と、「送りバー」としての内篩送りバー８４と、複数の「孔部」としての内篩孔部８６Ａを有する「篩本体」としての内篩網部８６と、を含んで構成されている。内篩フレーム８２は、前後一対のエンドフレーム部８２Ａと、エンドフレーム部８２Ａに架け渡された３本の中間フレーム部８２Ｂと、を有している。そして、螺旋状に形成された内篩送りバー８４が、中間フレーム部８２Ｂに埋設されるように一体に形成されると共に、内篩フレーム８２に沿うように配置されている。また、内篩送りバー８４の径方向外側に、円筒状を成す内篩網部８６が、配置されている。さらに、内篩網部８６の径方向外側には、一対の止め輪８８が設けられており、止め輪８８の長手方向両端には、締付ボルトＢ２が架け渡された締付部８８Ａが設けられている。そして、締付ボルトＢ２によって締付部８８Ａを締め付けることで、内篩網部８６が、止め輪８８によって径方向内側へ締め付けられて、内篩フレーム８２に固定されている。
【００４７】
内篩網部８６の径方向外側には、中間フレーム部８２Ｂに対応する位置において、固定プレート８９が設けられており、固定プレート８９が、複数の固定ボルト（図示省略）によって、中間フレーム部８２Ｂに固定されている。また、固定プレート８９の固定状態では、内篩網部８６における突き合わされた両端部が、固定プレート８９と中間フレーム部８２Ｂとの間に配置されて、両者によって挟み込まれている。
【００４８】
さらに、篩ユニット６０では、外篩７０の前端部（後端部）と内篩８０の前端部（後端部）と間に、３本のスポーク６２が設けられている。３本のスポーク６２は、篩ユニット６０の径方向に延在されて、スポーク６２の長手方向両端部が、ボルトＢ３によって外篩７０のエンドフレーム部７２Ａと内篩８０の中間フレーム部８２Ｂに連結されている。これにより、外篩７０及び内篩８０が、一体回転可能に連結されている。また、スポーク６２のボルトＢ３を取り外すことで、外篩７０と内篩８０とを分解できる構成になっている。
【００４９】
また、図３に示されるように、篩ユニット６０（詳しくは、外篩７０のエンドフレーム部７２Ａ）が、回転ローラ４４の上側に載置されている。これにより、回転機構４０の回転ローラ４４が回転することで、回転ローラ４４によって、篩ユニット６０が、自身の軸回りに回転するようになっている。また、篩ユニット６０が回転ローラ４４に載置された状態では、外篩７０の前端側のエンドフレーム部７２Ａが、回転機構４０の従動ローラ５４に当接されている。これにより、篩ユニット６０の前方側への移動が従動ローラ５４によって制限されている。また、前述のように、従動ローラ５４を回転可能に支持する軸部は、篩ユニット６０の径方向に沿って配置されている。このため、篩ユニット６０の回転時には、従動ローラ５４が篩ユニット６０の回転に従動して、自身の軸回りに回転する構成になっている。
【００５０】
ここで、内篩網部８６に形成された内篩孔部８６Ａ（図５参照）の大きさは、外篩網部７６に形成された外篩孔部７６Ａ（図５参照）の大きさよりも大きく設定されている。これにより、内篩網部８６内に揚げ玉ＦＢを投入することで、内篩網部８６の内篩孔部８６Ａよりも小さい揚げ玉ＦＢが、内篩網部８６の内篩孔部８６Ａを通過して、外篩７０の内部（詳しくは、外篩７０と内篩８０との間の空間）に落下する構成になっている。また、篩ユニット６０の下側には、ケース１１２が設けられており、外篩網部７６に形成された外篩孔部７６Ａよりも小さい揚げ玉ＦＢが、外篩孔部７６Ａを通過し、外篩７０から落下してケース１１２に集められるようになっている。これにより、篩ユニット６０によって、揚げ玉ＦＢを大きさの異なる３種類の揚げ玉ＦＢに選り分けるようになっている。
【００５１】
（ホッパー９０について）
図１〜図４に示されるように、ホッパー９０は、架台１２における支持柱２０の上側で且つ支持ユニット３０の後側に配置されている。すなわち、ホッパー９０は、駆動モータ４８の上側に配置されている。このホッパー９０は、スクリューフィーダー付きのホッパーとして構成されている。具体的には、ホッパー９０は、上側へ開放され略矩形箱状のタンク９２と、タンク９２の内部に配置されたスクリューフィーダー部９４と、を含んで構成されている。
【００５２】
タンク９２は、支持柱２０の上側に配置されると共に、上下方向に延在された複数の連結バー９３によって支持柱２０に連結されている。タンク９２の前壁における下端部には、ホッパー排出口９２Ａが形成されている。このホッパー排出口９２Ａには、略Ｕ字形溝状のホッパーガイド部材９７が接続されており、ホッパーガイド部材９７は、タンク９２から前側へ延出されると共に、側面視で、前側へ向かうに従い下側へ傾斜して配置されている。そして、ホッパーガイド部材９７の前端部が、内篩８０の後端側の開口部内に配置されている。また、タンク９２では、上側へ開放された開口部が、タンク９２内に揚げ玉ＦＢを投入するためのタンク投入口９２Ｂとされている。さらに、タンク９２は、上下に分割された構成になっており、タンク９２の上部を構成する上側タンク部９２Ｕが、タンク９２の下部を構成する下側タンク部９２Ｌから取り外し可能に構成されている。
【００５３】
スクリューフィーダー部９４は、タンク９２（下側タンク部９２Ｌ）内に配置されている。スクリューフィーダー部９４は、前後方向に延在されたシャフト状の芯部９４Ａと、芯部９４Ａと一体回転可能に構成され且つ芯部９４Ａの径方向外側において螺旋状に形成されたフィーダー部９４Ｂと、を含んで構成されている。芯部９４Ａの後端部は、タンク９２の下側に配置されたモータ９５の出力軸９５Ａに、伝達ベルト９６を介して連結されており、モータ９５は制御部５６に電気的に接続されている。これにより、制御部５６の制御によってモータ９５が駆動すると、スクリューフィーダー部９４が、回転して、タンク９２内の揚げ玉ＦＢをホッパー排出口９２Ａへ送り出すように構成されている。このため、ホッパー排出口９２Ａから送り出された揚げ玉ＦＢが、篩ユニット６０の内篩８０の後端側に供給される構成になっている。
【００５４】
（ガイド部材１００について）
図１及び図２に示されるように、ガイド部材１００は、篩ユニット６０の前側に配置されて、篩ユニット６０によって選り分けられた揚げ玉ＦＢをケース１１０へ導く部材として構成されている。ガイド部材１００は、ガイド部材１００の下側部分を構成する「ガイド部」としての外篩用ガイド部１０２と、ガイド部材１００の上側部分を構成する「ガイド部」としての内篩用ガイド部１０４と、を含んで構成されている。
【００５５】
外篩用ガイド部１０２は、前方側から見て、上側へ解放された略Ｕ字形板状に形成されている。具体的には、外篩用ガイド部１０２は、底壁部１０２Ａと、底壁部１０２Ａの右端部から上側へ延出された右側ガイド壁部１０２Ｒと、底壁部１０２Ａの左端部から上側へ延出された左側ガイド壁部１０２Ｌと、を含んで構成されている。そして、平面視で、右側ガイド壁部１０２Ｒが、前後方向に延在されており、左側ガイド壁部１０２Ｌが、前側へ向かうに従い右側へ傾斜されている。また、外篩用ガイド部１０２の全体が側面視で前側へ向かうに従い下側へ傾斜されている。
【００５６】
外篩用ガイド部１０２の前端の開口部は、「排出部」としての外篩用排出部１０２Ｂとされており、外篩用ガイド部１０２の後端部が外篩７０の前端に近接して配置されている。これにより、外篩７０の前端開口部から排出された揚げ玉ＦＢが、左側ガイド壁部１０２Ｌよってガイドされながら、外篩用排出部１０２Ｂへ導かれて、外篩用排出部１０２Ｂから右側へ落下されるようになっている。
【００５７】
内篩用ガイド部１０４は、外篩用ガイド部１０２と同様に、前方側から見て、上側へ解放された略Ｕ字形板状に形成されている。具体的には、内篩用ガイド部１０４は、底壁部１０４Ａと、底壁部１０４Ａの右端部から上側へ延出された右側ガイド壁部１０４Ｒと、底壁部１０４Ａの左端部から上側へ延出された左側ガイド壁部１０４Ｌと、を含んで構成されている。そして、平面視で、右側ガイド壁部１０４Ｒが、前側へ向かうに従い左側へ傾斜されており、左側ガイド壁部１０４Ｌが、前後方向に延在されている。また、内篩用ガイド部１０４の全体が側面視で前側へ向かうに従い下側へ傾斜されている。
【００５８】
内篩用ガイド部１０４の前端の開口部は、「排出部」としての内篩用排出部１０４Ｂとされており、内篩用ガイド部１０４の後端部が内篩８０の前端に近接して配置されている。これにより、内篩８０の前端開口部から排出された揚げ玉ＦＢが、右側ガイド壁部１０４Ｒよってガイドされながら、内篩用排出部１０４Ｂへ導かれて、内篩用排出部１０４Ｂから右側へ落下されるようになっている。
【００５９】
さらに、内篩用ガイド部１０４は外篩用ガイド部１０２よりも前後方向の長さが長く設定されており、内篩用ガイド部１０４の内篩用排出部１０４Ｂが、外篩用ガイド部１０２の外篩用排出部１０２Ｂに対して、前側で且つ左側に配置されている。すなわち、外篩用排出部１０２Ｂと内篩用排出部１０４Ｂとが、前方側から見て、左右方向に並んで配置されている。そして、外篩用ガイド部１０２の外篩用排出部１０２Ｂの下側及び内篩用ガイド部１０４の内篩用排出部１０４Ｂの下側には、それぞれ「受け部」としてのケース１１０が配置されており、篩ユニット６０によって選り分けられた揚げ玉ＦＢが、ケース１１０内に集められるようになっている。
【００６０】
また、ガイド部材１００の後端部は、支持フレーム３２に取り外し可能に固定されており、外篩用ガイド部１０２の底壁部１０２Ａが、調整バー２２の上端に載置されている。これにより、調整バー２２のナット２４からの伸長長さを適宜調整することで、ガイド部材１００の傾斜角度を適宜調整可能に構成されている。
【００６１】
（作用及び効果）
次に、回転篩装置１０によって、揚げ玉ＦＢを選り分ける手順を説明しつつ、本実施の形態の作用及び効果について説明する。
【００６２】
回転篩装置１０によって、揚げ玉ＦＢを選り分けるときには、初めに、使用者が操作部５８の操作ボタンを操作して、ホッパー９０を作動させると共に、回転機構４０を作動させる。具体的には、ホッパー９０のモータ９５を駆動させると共に、回転機構４０の駆動モータ４８を駆動させる。これにより、ホッパー９０のタンク９２内において、スクリューフィーダー部９４が回転する。一方、回転機構４０では、駆動モータ４８の回転が伝達ベルト５２によって一対の回転軸４２に伝達されて、一対の回転軸４２が、自身の軸回りに回転する。このため、回転軸４２に設けられた回転ローラ４４が、回転軸４２と共に回転して、回転ローラ４４上に載置された篩ユニット６０が自身の軸回りに回転する。
【００６３】
この状態において、タンク９２のタンク投入口９２Ｂから揚げ玉ＦＢを投入する。これにより、タンク９２内に投入された揚げ玉ＦＢが、スクリューフィーダー部９４によってホッパー排出口９２Ａ側へ送り出される。そして、揚げ玉ＦＢが、ホッパーガイド部材９７を介して篩ユニット６０の内篩８０の投入側（後端側）の開口部に供給される。
【００６４】
内篩８０の投入側の開口部に揚げ玉ＦＢが供給されると、揚げ玉ＦＢは、内篩網部８６の下側部分に落下する。このとき、篩ユニット６０は回転しているため、内篩８０における内篩網部８６の下側部分に落下した揚げ玉ＦＢが、内篩網部８６と共に回転して、上側へ変位する。そして、揚げ玉ＦＢが、ある程度上方側へ変位すると、揚げ玉ＦＢは、自重によって内篩網部８６の下側部分に再び落下する。
【００６５】
ここで、篩ユニット６０は、側面視で、前側へ向かうに従い下側へ傾斜されている。また、内篩網部８６の径方向内側には、螺旋状の内篩送りバー８４が設けられている。このため、揚げ玉ＦＢが内篩網部８６と共に回転するときには、揚げ玉ＦＢが、内篩送りバー８４によって、内篩８０の排出側（前端側）へ送り出されながら、内篩網部８６と共に回転する。これにより、揚げ玉ＦＢが再び落下するときには、揚げ玉ＦＢが内篩８０の排出側（前端側）へ変位する。その結果、内篩８０内の揚げ玉ＦＢが、内篩８０内を排出側（前端側）へ徐々に変位しながら前端側へ送り出される。
【００６６】
一方、内篩８０の内篩網部８６は、網板によって構成されている。このため、内篩網部８６に形成された内篩孔部８６Ａよりも小さい揚げ玉ＦＢは、内篩網部８６の内篩孔部８６Ａ内を通過して、外篩７０の下側部分に落下する。これにより、内篩８０内の揚げ玉ＦＢが、大小の大きさに選り分けられて、内篩網部８６に形成された内篩孔部８６Ａよりも大きい揚げ玉ＦＢのみが、内篩８０の前端側へ送り出される。
【００６７】
次に、外篩７０の下側部分に落下した揚げ玉ＦＢは、内篩８０における揚げ玉ＦＢに対する選り分けと同様に、大小の大きさに更に選り分けられる。具体的には、篩ユニット６０は回転しているため、外篩７０における外篩網部７６の下側部分に落下した揚げ玉ＦＢが、外篩網部７６と共に回転しつつ、上側へ変位する。そして、揚げ玉ＦＢが、ある程度上方側へ変位すると、揚げ玉ＦＢは、自重によって外篩網部７６の下側部分に再び落下する。
【００６８】
ここで、上述と同様に、篩ユニット６０は、側面視で、前側へ向かうに従い下側へ傾斜されている。また、外篩網部７６の径方向内側には、螺旋状の外篩送りバー７４が設けられている。このため、揚げ玉ＦＢが外篩網部７６と共に回転するときには、揚げ玉ＦＢが、外篩送りバー７４によって、外篩７０の排出側（前端側）へ送り出されながら、外篩網部７６と共に回転する。これにより、揚げ玉ＦＢが再び落下するときには、揚げ玉ＦＢが外篩７０の排出側（前端側）へ変位する。その結果、外篩７０内の揚げ玉ＦＢが、外篩７０内を排出側（前端側）へ徐々に変位しながら前端側へ送り出される。
【００６９】
一方、外篩７０の外篩網部７６は、網板によって構成されており、外篩網部７６に形成された外篩孔部７６Ａの大きさが、内篩８０に形成された内篩孔部８６Ａの大きさに比べて小さく設定されている。このため、外篩網部７６に形成された外篩孔部７６Ａよりも小さい揚げ玉ＦＢは、外篩網部７６の外篩孔部７６Ａ内を通過して、外篩７０の下側のケース１１２内に落下する。これにより、外篩７０内の揚げ玉ＦＢが、大小の大きさに更に選り分けられて、外篩網部７６に形成された外篩孔部７６Ａよりも大きい揚げ玉ＦＢのみが、外篩７０の前端側へ送り出される。
【００７０】
そして、内篩８０の前端開口部に送り出された揚げ玉ＦＢは、ガイド部材１００の内篩用ガイド部１０４内に落下する。さらに、当該揚げ玉ＦＢは、内篩用ガイド部１０４によって内篩用排出部１０４Ｂ側へ導かれて、内篩用排出部１０４Ｂからケース１１０内に落下する。一方、外篩７０の前端側へ送り出された揚げ玉ＦＢは、ガイド部材１００の外篩用ガイド部１０２内に落下する。さらに、当該揚げ玉ＦＢは、外篩用ガイド部１０２によってケース１１０に導かれて、外篩用排出部１０２Ｂからケース１１０内に落下する。これにより、篩ユニット６０によって選り分けられた大きさの異なる揚げ玉ＦＢが、ケース１１０にそれぞれ集められる。
【００７１】
以上説明したように、回転篩装置１０では、篩ユニット６０の内篩８０が内篩送りバー８４を有しており、内篩送りバー８４が内篩網部８６の内周面に沿った螺旋状に形成されている。また、篩ユニット６０の外篩７０が外篩送りバー７４を有しており、外篩送りバー７４が外篩網部７６の内周面に沿った螺旋状に形成されている。そして、上述のように、篩ユニット６０の回転時には、内篩８０内の揚げ玉ＦＢが内篩送りバー８４によって前端側へ送り出されると共に、外篩７０内の揚げ玉ＦＢが外篩送りバー７４によって前端側へ送り出される。これにより、選り分けられた揚げ玉ＦＢを篩ユニット６０（外篩７０、内篩８０）から効率よく排出することができる。
【００７２】
また、回転篩装置１０では、篩ユニット６０が回転することで、篩ユニット６０内に投入された揚げ玉ＦＢを、大小の大きさに選り分ける。このため、例えば、板状や籠状の篩を用いて、揚げ玉ＦＢを大小の大きさに選り分ける場合と比べて、篩ユニット６０の摩耗等を抑制することができる。すなわち、板状や籠状の篩を用いる場合には、当該篩を振動させて、揚げ玉ＦＢを選り分けることになる。このとき、篩が揚げ玉ＦＢと常に接触するようになり、篩の摩耗が懸念される。これに対して、本実施の形態のように篩を回転式することで、篩が揚げ玉ＦＢと常に接触することが抑制される。これにより、篩ユニット６０の摩耗等を抑制することができる。
【００７３】
さらに、回転篩装置１０では、板状や籠状の篩を用いて、当該篩を振動させて、揚げ玉ＦＢを選り分ける場合と比べて、回転篩装置１０の騒音の低減を図ることができる。すなわち、板状や籠状の篩を用いる場合では、揚げ玉ＦＢを篩に対して相対変位させ、篩の孔部内を通過させるために、例えば、篩に付与する振動の振幅などを大きくする必要がある。特に、揚げ玉ＦＢように、外形がいびつな形状をした対象物では、篩に付与する振動の振幅などが大きくなる傾向になる。これに対して、回転篩装置１０では、篩ユニット６０が回転するため、上記の場合と比べて、揚げ玉ＦＢが篩ユニット６０に対して相対変位し易くなる。また、上述のように、篩ユニット６０が回転することで、揚げ玉ＦＢが一端上側へ変位した後に、落下する。これにより、落下するときの加速度が揚げ玉ＦＢに作用するため、上記の場合と比べて、揚げ玉ＦＢが篩ユニット６０の孔部内を通過し易くなる。このため、篩ユニット６０に、上記のような振動を付与する必要がなくなるため、上記の場合と比べて、回転篩装置１０の騒音の低減を図ることができる。
【００７４】
また、篩ユニット６０の外篩７０では、外篩網部７６が外篩フレーム７２に着脱可能に固定されており、篩ユニット６０の内篩８０では、内篩網部８６が内篩フレーム８２に着脱可能に固定されている。これにより、外篩網部７６（内篩網部８６）を、外篩フレーム７２（内篩フレーム８２）から取り外して、洗浄することができる。したがって、食料品（揚げ玉ＦＢ）を対象物とする回転篩装置１０において、衛生面の向上を図ることができる。
【００７５】
また、回転篩装置１０では、篩ユニット６０が回転機構４０の回転ローラ４４に載置されている。このため、篩ユニット６０を回転篩装置１０から容易に取外すことができる。これにより、篩ユニット６０を回転篩装置１０から取外した状態にして、外篩網部７６（内篩網部８６）を、外篩フレーム７２（内篩フレーム８２）から取外すことができる。したがって、外篩７０及び内篩８０を、一層容易に分解することができる。
【００７６】
また、回転篩装置１０では、左右一対の回転軸４２が、矩形枠状の支持フレーム３２に軸受け４３を介して回転可能に支持されている。すなわち、左右一対の回転軸４２が、同一の部材である支持フレーム３２に支持されている。このため、例えば、左右一対の回転軸４２を、別部材の支持フレームによって、それぞれ支持する構成と比べて、一対の回転軸４２の平行度を容易に確保することができる。その結果、回転軸４２に一体回転可能に設けられた回転ローラ４４と、篩ユニット６０と、の間の相対位置ずれを抑制することができる。すなわち、篩ユニット６０を４箇所の回転ローラ４４に載置したときに、４箇所の回転ローラ４４の全てに、外篩７０のエンドフレーム部７２Ａを良好に当接させることができる。したがって、回転ローラ４４によって篩ユニット６０を良好に回転させることができる。
【００７７】
さらに、上述のように、回転機構４０では、左右一対の回転軸４２が、同一の部材である支持フレーム３２に支持されている。このため、支持フレーム３２を架台１２に対して傾けることで、一対の回転軸４２を、架台１２に対して容易に傾けることができる。
【００７８】
また、回転篩装置１０では、ホッパー９０の下側に、回転機構４０の駆動モータ４８が配置されている。これにより、ホッパー９０の下側の空間を有効に活用して、駆動モータ４８を配置することができる。したがって、前後方向における、回転篩装置１０の大型化を抑制することができる。
【００７９】
さらに、ホッパー９０では、タンク９２が上下分割構造を成しており、上側タンク部９２Ｕが、下側タンク部９２Ｌに取外し可能に構成されている。これにより、タンク９２を容易に洗浄することができる。
【００８０】
また、回転篩装置１０の回転機構４０では、伝達ベルト５２が、駆動モータ４８のプーリ４９、伝達ローラ５０、左右一対の回転軸４２に掛け回れている。このため、左右一対の回転軸４２に設けられた回転ローラ４４が、篩ユニット６０を回転させる駆動ローラとして作用する。したがって、回転ローラ４４によって、篩ユニット６０を良好に回転させることができる。
【００８１】
さらに、回転篩装置１０の回転機構４０は、従動ローラ５４を有しており、従動ローラ５４は、外篩フレーム７２のエンドフレーム部７２Ａの前端に当接されている。このため、傾斜された篩ユニット６０の前方側への移動を従動ローラ５４によって制限することができる。また、従動ローラ５４を回転可能に支持する軸部は、篩ユニット６０の径方向に沿って配置されている。このため、篩ユニット６０の回転時には、従動ローラ５４が、篩ユニット６０の回転に従動して回転する。これにより、篩ユニット６０の回転が従動ローラ５４によって妨げられることを抑制できる。以上により、篩ユニット６０の回転を阻害することなく、傾斜された篩ユニット６０の前端側への移動を制限することができる。
【００８２】
また、回転篩装置１０では、支持フレーム３２が、傾斜機構３４によって架台１２に連結されており、支持フレーム３２の傾斜を、傾斜機構３４によって調整可能に構成されている。このため、例えば、篩ユニット６０のおける揚げ玉ＦＢの排出状況に応じて、篩ユニット６０の傾斜を調整することができる。
【００８３】
さらに、回転篩装置１０のガイド部材１００では、外篩用ガイド部１０２及び内篩用ガイド部１０４を有しており、外篩用ガイド部１０２の外篩用排出部１０２Ｂと、内篩用ガイド部１０４の内篩用排出部１０４Ｂと、左右に並ぶように配置されている。これにより、ガイド部材１００から落下され揚げ玉ＦＢを受ける、２つのケース１１０を左右に並べて配置することができる。これにより、前後方向における、２つのケース１１０を含めた回転篩装置１０の設置スペースの大型化を抑制することができる。
【００８４】
さらに、ガイド部材１００の後端部が、支持フレーム３２に取外し可能に固定されている。このため、ガイド部材１００を、回転篩装置１０から取外して、洗浄することができる。
【００８５】
（第２の実施の形態）
以下、図８〜図１３を用いて、第２の実施の形態に係る回転篩装置２００について説明する。回転篩装置２００は、「対象物」としての食料品（具体的には、略円形薄片状を成すチップＣＨ（図１０参照））を、異なる大きさのチップＣＨに選り分けて、選り分けられたチップＣＨを大きさ毎に集める装置として構成されている。また、回転篩装置２００は、以下に示す点を除いて第１の実施の形態に係る回転篩装置１０と同様に構成されている。なお、図８〜図１１では、第１の実施の形態に係る回転篩装置１０と同様に構成されている部分には、同一の符号を付している。
【００８６】
図８〜図１３に示されるように、回転篩装置２００では、チップＣＨを異なる大きさに選り分けるための篩ユニット２１０が、３層の篩によって構成されている。具体的には、篩ユニット２１０が、篩ユニット２１０の径方向外側部分を構成する「篩」としての外篩２２０と、篩ユニット２１０の径方向中間部を構成する「篩」としての中間篩２３０と、篩ユニット２１０の径方向内側部分を構成する「篩」としての内篩２４０と、を含んで構成されている。以下、外篩２２０、中間篩２３０、及び内篩２４０について説明する。
【００８７】
＜外篩２２０について＞
図１２及び図１３に示されるように、外篩２２０は、樹脂製（本実施の形態では、ポリエチレン）とされると共に、略円筒状に形成されている。この外篩２２０は、外篩２２０の本体を構成する「篩本体」としての外篩本体２２２と、外篩２２０内のチップＣＨを篩ユニット２１０の排出側へ送り出すための「送りバー」としての複数（本実施の形態では３本）の外篩送りバー２２４と、を含んで構成されている。
【００８８】
外篩本体２２２は、円形状の「孔部」としての外篩孔部２２２Ａを複数有する３箇所の選別部２２２Ｂを備えており、選別部２２２Ｂが、外篩本体２２２の前端部及び後端部を除く部分において、外篩本体２２２の周方向に等間隔毎（１２０度毎）に配置されている。そして、外篩本体２２２における、周方向に隣り合う選別部２２２Ｂの間の部位が、非選別部２２２Ｃとして構成されている。すなわち、選別部２２２Ｂと非選別部２２２Ｃとが、外篩本体２２２の周方向に交互に配置されている。そして、外篩本体２２２の周方向における選別部２２２Ｂの長さが、外篩本体２２２の周方向における非選別部２２２Ｃの長さよりも大幅に大きく設定されている。
【００８９】
選別部２２２Ｂでは、外篩孔部２２２Ａが、外篩本体２２２の長手方向に沿った列を成して形成されており、外篩孔部２２２Ａによって構成された複数の列が、外篩本体２２２の周方向に所定の間隔を空けて並んで配置されている（図１３の矢視ｃ参照）。また、外篩本体２２２の周方向において隣り合う外篩孔部２２２Ａの列では、外篩孔部２２２Ａが、外篩本体２２２の長手方向において、ずれて配置されている。さらに、外篩孔部２２２Ａの周縁部は、面取りされている。
【００９０】
また、外篩本体２２２の前端部及び後端部には、径方向外側において、略リング状のフレーム２２６が設けられている。そして、前側のフレーム２２６の前端に、回転機構４０の従動ローラ５４が当接するようになっている。
【００９１】
外篩送りバー２２４は、外篩本体２２２の内周面に一体に設けられている。具体的には、外篩送りバー２２４は、外篩本体２２２の長手方向（軸方向）に直線状に延在された略矩形棒状に形成されて、外篩本体２２２における非選別部２２２Ｃの内周面に一体に形成されている。つまり、外篩送りバー２２４が、外篩２２０の径方向から見て、外篩孔部２２２Ａに重ならない位置に配置されると共に、外篩本体２２２から径方向内側へ突出されている。また、外篩送りバー２２４は、外篩本体２２２の前端部から後端部に亘って延在されており、外篩送りバー２２４の外篩本体２２２からの突出量が、略１ｃｍに設定されている。
【００９２】
＜中間篩２３０について＞
中間篩２３０は、樹脂製（本実施の形態では、ポリエチレン）とされると共に、外篩２２０よりも小径の円筒状に形成されている。中間篩２３０は、外篩２２０の内部において、外篩２２０と同軸上に配置されており、中間篩２３０の軸長が外篩２２０の軸長よりも長く設定されている。具体的には、中間篩２３０の後端部と外篩２２０の後端部との前後位置が略一致しており、中間篩２３０の前端部が外篩２２０よりも前側へ突出されている。
【００９３】
また、中間篩２３０は、中間篩２３０の本体を構成する「篩本体」としての中間篩本体２３２と、中間篩２３０内のチップＣＨを排出側へ送り出すための複数（本実施の形態では３本）の「送りバー」としての中間篩送りバー２３４と、を含んで構成されている。
【００９４】
中間篩本体２３２の前端側の部分には、連結部２３２Ｄが設定されており、連結部２３２Ｄは、外篩２２０の前端部（詳しくは、フレーム２２６）に対して外篩２２０の径方向内側に配置されている。そして、中間篩本体２３２が、連結部２３２Ｄを除いて、外篩２２０の外篩本体２２２と同様に構成されている。
【００９５】
すなわち、中間篩本体２３２は、円形状の「孔部」としての中間篩孔部２３２Ａを複数有する３箇所の選別部２３２Ｂを備えており、選別部２３２Ｂが、中間篩本体２３２の前端部、連結部２３２Ｄ、及び後端部を除く部分において、中間篩本体２３２の周方向に等間隔毎（１２０度毎）に配置されている。そして、中間篩本体２３２における、周方向に隣り合う選別部２３２Ｂの間の部位が、非選別部２３２Ｃとして構成されている。さらに、中間篩本体２３２の周方向における選別部２３２Ｂの長さが、中間篩本体２３２の周方向における非選別部２３２Ｃの長さよりも大幅に大きく設定されている。
【００９６】
選別部２３２Ｂでは、中間篩孔部２３２Ａが、中間篩本体２３２の長手方向に沿った列を成して形成されており、中間篩孔部２３２Ａによって構成された複数の列が、中間篩本体２３２の周方向に所定の間隔を空けて並んで配置されている（図１３の矢視ｂ参照）。また、中間篩本体２３２の周方向において隣り合う中間篩孔部２３２Ａの列では、中間篩本体２３２の長手方向において、中間篩孔部２３２Ａがずれて配置されている。さらに、中間篩孔部２３２Ａの直径寸法が、外篩孔部２２２Ａの直径寸法よりも大きく設定されており、中間篩孔部２３２Ａの周縁部は、面取りされている。
【００９７】
そして、中間篩本体２３２の連結部２３２Ｄと外篩本体２２２の前端部（フレーム２２６）との間、及び中間篩本体２３２の後端部と外篩本体２２２の後端部（フレーム２２６）との間には、篩ユニット２１０の径方向に延在された６本のスポーク２１２が、分解可能の連結されている（図１２及び図１３では、前側のスポーク２１２のみ図示している）。これにより、外篩２２０及び中間篩２３０が、一体回転可能に連結されている。また、スポーク２１２を分解することで、外篩２２０と中間篩２３０とを分解できる構成になっている。
【００９８】
中間篩送りバー２３４は、外篩２２０の外篩送りバー２２４と同様に構成されている。すなわち、中間篩送りバー２３４は、中間篩本体２３２の長手方向（軸方向）に直線状に延在された略矩形棒状に形成されて、中間篩本体２３２における非選別部２３２Ｃの内周面に一体に形成されている。よって、中間篩２３０では、中間篩送りバー２３４が、中間篩２３０の径方向から見て、中間篩孔部２３２Ａに重ならない位置に配置されると共に、中間篩本体２３２から径方向内側へ突出されている。また、中間篩送りバー２３４は、中間篩本体２３２の前端部から後端部に亘って延在されており、中間篩送りバー２３４の中間篩本体２３２からの突出量が、略１ｃｍに設定されている。
【００９９】
＜内篩２４０について＞
内篩２４０は、樹脂製（本実施の形態では、ポリエチレン）とされると共に、中間篩２３０よりも小径の円筒状に形成されている。内篩２４０は、中間篩２３０の内部において、中間篩２３０と同軸上に配置されており、内篩２４０の軸長が中間篩２３０の軸長よりも長く設定されている。具体的には、内篩２４０の後端部と中間篩２３０の後端部との前後位置が略一致しており、内篩２４０の前端部が中間篩２３０よりも前側へ突出されている。
【０１００】
また、内篩２４０は、内篩２４０の本体を構成する「篩本体」としての内篩本体２４２と、内篩２４０内のチップＣＨを排出側へ送り出すための複数（本実施の形態では３本）の「送りバー」としての内篩送りバー２４４と、を含んで構成されている。
【０１０１】
内篩本体２４２は、中間篩２３０の中間篩本体２３２と同様に構成されている。すなわち、内篩本体２４２は、前端側の部分において、連結部２４２Ｄが設定されており、連結部２４２Ｄが、中間篩２３０の連結部２３２Ｄに対して中間篩２３０の径方向内側に配置されている。
【０１０２】
また、内篩本体２４２は、円形状の「孔部」としての内篩孔部２４２Ａを複数有する３箇所の選別部２４２Ｂを備えており、選別部２４２Ｂが、内篩本体２４２の前端部、連結部２４２Ｄ、及び後端部を除く部分において、内篩本体２４２の周方向に等間隔毎（１２０度毎）に配置されている。そして、内篩本体２４２における、周方向に隣り合う選別部２４２Ｂの間の部位が、非選別部２４２Ｃとして構成されている。さらに、内篩本体２４２の周方向における選別部２４２Ｂの長さが、内篩本体２４２の周方向における非選別部２４２Ｃの長さよりも大幅に大きく設定されている。
【０１０３】
さらに、選別部２４２Ｂでは、内篩孔部２４２Ａが、内篩本体２４２の長手方向に沿った列を成して形成されており、内篩孔部２４２Ａによって構成された複数の列が、内篩本体２４２の周方向に所定の間隔を空けて並んで配置されている（図１３の矢視ａ参照）。また、内篩本体２４２の周方向において隣り合う内篩孔部２４２Ａの列では、内篩本体２４２の長手方向において、内篩孔部２４２Ａがずれて配置されている。さらに、内篩孔部２４２Ａの直径寸法が、中間篩孔部２３２Ａの直径寸法よりも大きく設定されており、内篩孔部２４２Ａの周縁部は、面取りされている。
【０１０４】
そして、内篩本体２４２の連結部２４２Ｄと中間篩本体２３２の連結部２３２Ｄとの間、及び内篩本体２４２の後端部と中間篩本体２３２の後端部との間には、篩ユニット２１０の径方向に延在された６本のスポーク２１２が、分解可能の連結されている（図１２及び図１３では、前側のスポーク２１２のみを図示している）。これにより、内篩２４０、中間篩２３０、及び外篩２２０が、一体回転可能に連結されている。また、スポーク２１２を分解することで、内篩２４０と中間篩２３０とを分解できる構成になっている。
【０１０５】
内篩送りバー２４４は、中間篩２３０の中間篩送りバー２３４と同様に構成されている。すなわち、内篩送りバー２４４は、内篩本体２４２の長手方向（軸方向）に直線状に延在された略矩形棒状に形成されて、内篩本体２４２における非選別部２４２Ｃの内周面に一体に形成されている。よって、内篩２４０では、内篩送りバー２４４が、内篩２４０の径方向から見て、内篩孔部２４２Ａに重ならない位置に配置される共に、内篩本体２４２の内周面から径方向内側へ突出されている。また、内篩送りバー２４４は、内篩本体２４２の前端部から後端部に亘って延在されており、内篩送りバー２４４の内篩本体２４２からの突出量が、略１ｃｍに設定されている。
【０１０６】
一方、図１１に示されるように、回転篩装置２００では、回転軸４２が、第１の実施の形態と比べて、回転篩装置２００の幅方向内側に配置されると共に、支持フレーム３２（フロントフレーム３２Ｆ，リアフレーム３２Ｒ）に固定された軸受け４３によって回転可能に支持されている。
【０１０７】
また、回転篩装置２００における回転機構４０の駆動機構４６では、伝達ベルト５２の代わりに減速機構２５０が設けられており、減速機構２５０によって、駆動モータ４８と、一方（左側）の回転軸４２と、が連結されている。この減速機構２５０は、複数のギヤによって構成されており、駆動モータ４８の回転力が一方の回転軸４２に伝達されて、篩ユニット２１０が回転するようになっている。また、篩ユニット２１０が回転するときには、他方（右側）の回転軸４２の回転ローラ４４が篩ユニット２１０の回転に伴って回転して、他方の回転軸４２が回転するようになっている。つまり、回転篩装置２００では、他方の回転軸４２の回転ローラ４４が従動ローラとして作用するように構成されている。
【０１０８】
さらに、回転篩装置２００では、水平方向に対する篩ユニット２１０の傾斜角度が、第１の実施の形態よりも小さく設定されている。具体的には、篩ユニット２１０の傾斜角度が、略５度に設定されている。
【０１０９】
また、図８〜図１０に示されるように、回転篩装置２００では、篩ユニット２１０の前側に設けられたガイド部材２６０が、篩ユニット２１０の３層に篩に対応して形成されている。具体的には、ガイド部材２６０は、上側及び後側へ開放された略凹状に形成されて、篩ユニット２１０の前端下部を前側から覆うように、篩ユニット２１０の前側に設けられている。また、ガイド部材２６０の幅寸法が前側へ向かうに従い小さくなるように、ガイド部材２６０が、上側から見て、階段状に形成されている。具体的には、ガイド部材２６０は、ガイド部材２６０の後端部を構成する「ガイド部」としての外篩ガイド部２６２と、ガイド部材２６０の前後方向中間部を構成する「ガイド部」としての中間篩ガイド部２６４と、ガイド部材２６０の前端部を構成する「ガイド部」としての内篩ガイド部２６６と、を有している。
【０１１０】
外篩ガイド部２６２の下部には、下側へ延出された略筒状の外篩用排出部２６２Ａが設けられており、外篩用排出部２６２Ａは、回転篩装置２００の幅方向中央に対して左側に配置されている。そして、外篩２２０から外篩ガイド部２６２に排出されたチップＣＨを、外篩用排出部２６２Ａからケース１１０に落下させるようになっている。
【０１１１】
また、同様に、中間篩ガイド部２６４の下部には、下側へ延出された略筒状の中間篩用排出部２６４Ａが設けられており、中間篩用排出部２６４Ａは、回転篩装置２００の幅方向中央に対して右側に配置されている。そして、中間篩２３０から中間篩ガイド部２６４に排出されたチップＣＨを、中間篩用排出部２６４Ａからケース１１０に落下させるようになっている。
【０１１２】
さらに、同様に、内篩ガイド部２６６の下部には、下側へ延出された略筒状の内篩用排出部２６６Ａが設けられており、内篩用排出部２６６Ａは、回転篩装置２００の幅方向中央に対して左側で且つ外篩用排出部２６２Ａの前側に配置されている。そして、内篩２４０から内篩ガイド部２６６に排出されたチップＣＨを、内篩用排出部２６６Ａからケース１１０に落下させるようになっている。
【０１１３】
また、回転篩装置２００では、第１の実施の形態のホッパー９０が省略されており、篩ユニット２１０の後方に作業台２７０が設置されている。作業台２７０は、上側へ開放された比較的底の浅い凹状に形成されると共に、上側から見て、略Ｌ字形状に形成されている。
【０１１４】
そして、第２の実施の形態では、回転篩装置２００を作動させた状態において、作業者によってチップＣＨを篩ユニット２１０（詳しくは、内篩２４０の後端側（投入側））内に投入する。これにより、回転状態の内篩本体２４２の下側部分にチップＣＨが落下する。
【０１１５】
ここで、第２の実施の形態では、内篩本体２４２の内周面に内篩送りバー２４４が一体に設けられており、内篩送りバー２４４は、内篩本体２４２の長手方向に延在されると共に、内篩本体２４２から径方向内側へ突出されている。このため、内篩本体２４２の下側部分に落下したチップＣＨが、内篩送りバー２４４によって、内篩本体２４２の周方向に沿って持ち上げられて、上側へ変位する。そして、チップＣＨが、ある程度上方側へ変位すると、チップＣＨが、内篩送りバー２４４を乗り越えて、内篩本体２４２の内周面に沿って落下する。また、第２の実施の形態においても、篩ユニット２１０が、側面視で、前側へ向かうに従い下側へ傾斜されている。このため、内篩本体２４２の内周面に沿ったチップＣＨの落下時には、チップＣＨが、落下前のチップＣＨに対して、内篩２４０の排出側（前端側）へ変位する。そして、内篩２４０内において、内篩送りバー２４４によるチップＣＨの持ち上げと、内篩２４０内の内周面に沿ったチップＣＨの落下と、が繰り返される。その結果、チップＣＨが、内篩２４０内を排出側（前端側）へ徐々に変位しながら前端側へ送り出される。
【０１１６】
一方、内篩本体２４２には、複数の内篩孔部２４２Ａが形成されている。このため、内篩孔部２４２Ａよりも小さいチップＣＨが、内篩孔部２４２Ａ内を通過して、中間篩２３０の下側部分に落下する。これにより、内篩２４０内のチップＣＨが、大小の大きさに選り分けられて、内篩孔部２４２Ａよりも大きいチップＣＨのみが、内篩２４０の前端側へ送り出される。
【０１１７】
次に、中間篩２３０では、中間篩２３０の下側部分に落下したチップＣＨが、内篩２４０におけるチップＣＨに対する選り分けと同様に、大小の大きさに更に選り分けられる。具体的には、中間篩２３０内において、中間篩送りバー２３４によるチップＣＨの持ち上げと、中間篩２３０の内周面に沿ったチップＣＨの落下と、が繰り返えされて、チップＣＨが、中間篩２３０内を排出側（前端側）へ徐々に変位しながら前端側へ送り出される。また、中間篩２３０の中間篩孔部２３２Ａよりも小さいチップＣＨが、中間篩孔部２３２Ａ内を通過して、外篩２２０の下側部分に落下する。
【０１１８】
次に、外篩２２０では、外篩２２０の下側部分に落下したチップＣＨが、中間篩２３０におけるチップＣＨに対する選り分けと同様に、大小の大きさに更に選り分けられる。具体的には、外篩２２０内において、外篩送りバー２２４によるチップＣＨの持ち上げと、外篩２２０の内周面に沿ったチップＣＨの落下と、が繰り返えされて、チップＣＨが、外篩２２０内を排出側（前端側）へ徐々に変位しながら前端側へ送り出される。また、外篩２２０の外篩孔部２２２Ａよりも小さいチップＣＨが、外篩孔部２２２Ａ内を通過して、ケース１１２内に落下する。
【０１１９】
このように、第２の実施の形態の回転篩装置２００では、内篩本体２４２の内周面に内篩送りバー２４４が設けられており、内篩送りバー２４４が内篩２４０の長手方向に直線状に延在されている。また、中間篩本体２３２の内周面に中間篩送りバー２３４が設けられており、中間篩送りバー２３４が中間篩２３０の長手方向に直線状に延在されている。さらに、外篩本体２２２の内周面に外篩送りバー２２４が設けられており、外篩送りバー２２４が外篩２２０の長手方向に直線状に延在されている。そして、上述のように、篩ユニット２１０の回転時には、チップＣＨが、内篩送りバー２４４（中間篩送りバー２３４、外篩送りバー２２４）によって篩ユニット２１０の周方向に沿って持ち上げられて、その後、内篩２４０（中間篩２３０、外篩２２０）の内周面に沿って落下する。そして、落下後のチップＣＨが、落下前のチップＣＨに対して前方側へ変位して、篩ユニット２１０の前端側へ送り出される。これにより、第２の実施の形態においても、選り分けられたチップＣＨを、篩ユニット２１０から効率よく排出することができる。
【０１２０】
また、第２の実施の形態では、内篩２４０（中間篩２３０、外篩２２０）の径方向から見て、内篩送りバー２４４（中間篩送りバー２３４、外篩送りバー２２４）が、内篩孔部２４２Ａ（中間篩孔部２３２Ａ、外篩孔部２２２Ａ）と重ならない位置に配置されている。これにより、チップＣＨを内篩２４０（中間篩２３０、外篩２２０）の前端側へ効率よく送り出すことができると共に、チップＣＨの割れなどを抑制することができる。
【０１２１】
すなわち、仮に、内篩送りバー２４４（中間篩送りバー２３４、外篩送りバー２２４）と内篩孔部２４２Ａ（中間篩孔部２３２Ａ、外篩孔部２２２Ａ）とを、内篩２４０（中間篩２３０、外篩２２０）の径方向から見て、重なる位置に配置すると、チップＣＨが、内篩送りバー２４４（中間篩送りバー２３４、外篩送りバー２２４）と内篩孔部２４２Ａ（中間篩孔部２３２Ａ、外篩孔部２２２Ａ）との間に入り込む場合がある。
この場合には、入り込んだチップＣＨの状態が維持されて、チップＣＨが、内篩２４０（中間篩２３０、外篩２２０）の前端側へ送り出されなくなる。
また、この場合には、チップＣＨが内篩２４０（中間篩２３０、外篩２２０）の上端付近に到達したときに、入り込んだチップＣＨの状態が解除されて、チップＣＨが、内篩２４０（中間篩２３０、外篩２２０）内を落下する可能性がある。具体的には、チップＣＨが、内篩２４０（中間篩２３０、外篩２２０）の内周面に沿わずに、落下する可能性がある。これにより、チップＣＨが割れる虞がある。
【０１２２】
これに対して、第２の実施の形態では、内篩２４０（中間篩２３０、外篩２２０）の径方向から見て、内篩送りバー２４４（中間篩送りバー２３４、外篩送りバー２２４）が、内篩孔部２４２Ａ（中間篩孔部２３２Ａ、外篩孔部２２２Ａ）と重ならない位置に配置されている。このため、チップＣＨが、内篩送りバー２４４（中間篩送りバー２３４、外篩送りバー２２４）と内篩孔部２４２Ａ（中間篩孔部２３２Ａ、外篩孔部２２２Ａ）との間に入り込むことを抑制できる。これにより、チップＣＨを、内篩２４０（中間篩２３０、外篩２２０）の前端側へ効率よく送り出すことができる。
【０１２３】
また、内篩送りバー２４４（中間篩送りバー２３４、外篩送りバー２２４）と内篩孔部２４２Ａ（中間篩孔部２３２Ａ、外篩孔部２２２Ａ）との間にチップＣＨが入り込むことが抑制されるため、内篩送りバー２４４（中間篩送りバー２３４、外篩送りバー２２４）によって持ち上げられたチップＣＨが、内篩２４０（中間篩２３０、外篩２２０）の上端付近に到達する前に落下する。これにより、チップＣＨを、内篩２４０（中間篩２３０、外篩２２０）の内周面に沿って落下させることができる。その結果、チップＣＨの割れなどを抑制することができる。
【０１２４】
また、第２の実施の形態では、内篩２４０（中間篩２３０、外篩２２０）において、内篩送りバー２４４（中間篩送りバー２３４、外篩送りバー２２４）と内篩本体２４２（中間篩本体２３２、外篩本体２２２）とが一体に形成されている。このため、内篩２４０（中間篩２３０、外篩２２０）において、部品点数の削減しつつ、内篩送りバー２４４（中間篩送りバー２３４、外篩送りバー２２４）を設けることができる。
【０１２５】
また、第２の実施の形態では、内篩２４０（中間篩２３０、外篩２２０）が、樹脂材によって構成されている。このため、例えば、内篩２４０（中間篩２３０、外篩２２０）を金属製にする場合と比べて、篩ユニット２１０の軽量化に寄与することができる。また、篩ユニット２１０の軽量化に伴い、篩ユニット２１０を回転させるための回転機構４０の駆動モータ４８のトルクを小さくすることができる。これにより、駆動モータ４８の小型化に寄与することができる。
【０１２６】
また、内篩２４０（中間篩２３０、外篩２２０）では、内篩孔部２４２Ａ（中間篩孔部２３２Ａ、外篩孔部２２２Ａ）の周縁部が、面取りされている。これにより、内篩孔部２４２Ａ（中間篩孔部２３２Ａ、外篩孔部２２２Ａ）の周縁部にチップＣＨが引っ掛かることを抑制できる。よって、チップＣＨを内篩孔部２４２Ａ（中間篩孔部２３２Ａ、外篩孔部２２２Ａ）の内部に良好に通過させることができる。
【０１２７】
なお、第２の実施の形態では、内篩２４０（中間篩２３０、外篩２２０）において、内篩送りバー２４４（中間篩送りバー２３４、外篩送りバー２２４）と内篩本体２４２（中間篩本体２３２、外篩本体２２２）とが一体に形成されている。これに代えて、内篩送りバー２４４（中間篩送りバー２３４、外篩送りバー２２４）と内篩本体２４２（中間篩本体２３２、外篩本体２２２）とを、別体に構成して、内篩送りバー２４４（中間篩送りバー２３４、外篩送りバー２２４）を内篩本体２４２（中間篩本体２３２、外篩本体２２２）に固定する構成にしてもよい。
【０１２８】
第２の実施の形態では、内篩送りバー２４４（中間篩送りバー２３４、外篩送りバー２２４）が、矩形棒状に形成されているが、内篩送りバー２４４（中間篩送りバー２３４、外篩送りバー２２４）の形状はこれに限らない。例えば、内篩送りバー２４４（中間篩送りバー２３４、外篩送りバー２２４）を、略丸棒状に形成してもよい。
【０１２９】
また、第２の実施の形態では、内篩２４０（中間篩２３０、外篩２２０）が、樹脂製とされているが、内篩２４０（中間篩２３０、外篩２２０）を金属製としてもよい。
【０１３０】
また、第２の実施の形態では、回転機構４０の駆動モータ４８が減速機構２５０によって回転軸４２に連結されているが、第１の実施の形態と同様に、駆動モータ４８を伝達ベルト５２によって回転軸４２に連結してもよい。
【０１３１】
また、第１の実施の形態では、回転篩装置１０の篩ユニット６０が、２層の篩（外篩７０と内篩８０）で構成されているが、篩ユニット６０の層数は、これに限定されない。すなわち、揚げ玉ＦＢの大きさの種類に応じて、篩ユニット６０を、３層以上の篩で構成してもよい。また、第２の実施の形態では、篩ユニット２１０が、３層の篩（内篩２４０、中間篩２３０、外篩２２０）によって構成されているが、篩ユニット２１０を、チップＣＨの大きさの種類に応じて、２層の篩あるいは４層以上の篩で構成してもよい。
【０１３２】
また、第１の実施の形態では、回転機構４０において、左右一対の回転軸４２が、駆動モータ４８の駆動によって回転する構成になっている。これに代えて、左右一対の回転軸４２の一方を、駆動モータ４８の駆動によって回転させてもよい。すなわち、伝達ベルト５２を、一方に回転軸４２に掛け回すように構成してもよい。また、第２の実施の形態と同様に、駆動モータ４８と回転軸４２とを減速機構２５０によって連結してもよい。
【符号の説明】
【０１３３】
１０          回転篩装置
１２          架台
３０          支持ユニット
３２          支持フレーム
３４          傾斜機構（調整機構）
４２          回転軸
４４          回転ローラ（ローラ）
４６          駆動機構
４８          駆動モータ
５２          伝達ベルト
５４          従動ローラ（ストッパ）
６０          篩ユニット
７０          外篩（篩）
７２          外篩フレーム（フレーム）
７４          外篩送りバー（送りバー）
７６          外篩網部（篩本体）
７６Ａ        外篩孔部（孔部）
８０          内篩（篩）
８２          内篩フレーム（フレーム）
８４          内篩送りバー（送りバー）
８６          内篩網部（篩本体）
８６Ａ        内篩孔部（孔部）
９０          ホッパー
１００        ガイド部材
１０２        外篩用ガイド部（ガイド部）
１０２Ｂ      外篩用排出部（排出部）
１０４        内篩用ガイド部（ガイド部）
１０４Ｂ      内篩用排出部（排出部）
１１０        ケース（受け部）
２００        回転篩装置
２２０        外篩（篩）
２２２        外篩本体（篩本体）
２２２Ａ      外篩孔部（孔部）
２２４        外篩送りバー（送りバー）
２３０        中間篩（篩）
２３２        中間篩本体（篩本体）
２３２Ａ      中間篩孔部（孔部）
２３４        中間篩送りバー（送りバー）
２４０        内篩（篩）
２４２        内篩本体（篩本体）
２４２Ａ      内篩孔部（孔部）
２４４        内篩送りバー（送りバー）
【図１】
2019030864.tif 000003
【図２】
2019030864.tif 000004
【図３】
2019030864.tif 000005
【図４】
2019030864.tif 000006
【図５】
2019030864.tif 000007
【図６】
2019030864.tif 000008
【図７】
2019030864.tif 000009
【図８】
2019030864.tif 000010
【図９】
2019030864.tif 000011
【図１０】
2019030864.tif 000012
【図１１】
2019030864.tif 000013
【図１２】
2019030864.tif 000014
【図１３】
2019030864.tif 000015